(57)【特許請求の範囲】
【請求項１】
供給される粉末材料により造形槽において所定の厚さで形成される粉末層に対して、前記粉末材料を硬化するバインダーおよび前記粉末材料を着色するインクをヘッドから吐出して断面形状を形成した後に、前記造形槽において該断面形状が形成された粉末層の上に新たな粉末層を形成して、該新たな粉末層に対して前記バインダーおよび前記インクを前記ヘッドから吐出して断面形状を形成するという動作を順次繰り返し行うことにより、断面形状を積層して三次元造形物を作製する三次元造形装置において、
作成する三次元造形物の三次元形状を表す三次元データから断面形状データを作成する作成手段と、
カートリッジ内に貯留された前記バインダーおよび前記インクの残量を取得する取得手段と、
前記取得手段により取得した前記バインダーおよび前記インクの残量に基づいて、前記バインダーおよび前記インクを予め設定された吐出量で吐出し、前記三次元データから作成した第１の断面形状データに基づいて三次元造形物を作製することが可能か否かの判断を行う判断手段と、
前記判断手段により三次元造形物を作製することが不可能であると判断されると、前記バインダーおよび前記インクを間引いて三次元造形物を作製すること、あるいは、三次元造形物を縮小して作製することを選択可能な選択画面を表示する画面表示手段と、
前記選択画面において、間引いて三次元造形物を作製することが選択されると、不足する前記バインダーおよび前記インクについて、予め設定された吐出量を間引いて、間引き後の吐出量を決定する間引き手段と、
前記選択画面において、三次元造形物を縮小して作製することが選択されると、不足する前記バインダーおよび前記インクのうち、不足量の最も大きい前記バインダーおよび前記インクの残量に基づいて三次元造形物の縮小率を決定し、決定した縮小率に基づいて前記三次元データを縮小する縮小手段と
を有し、
前記作成手段は、前記三次元データに基づいて前記第１の断面形状データを作成するとともに、前記縮小手段により縮小された前記三次元データに基づいて、第２の断面形状データを作成し、
前記制御手段は、前記間引き手段により間引き後の吐出量が決定されると、間引き後の吐出量が決定された前記バインダーおよび前記インクを当該間引き後の吐出量とし、前記第１の断面形状データに基づいて前記ヘッドを制御するとともに、前記縮小手段により前記三次元データが縮小されると、前記バインダーおよび前記インクを予め設定された吐出量とし、前記第２の断面形状データに基づいて前記ヘッドを制御する
ことを特徴とする三次元造形装置。
【請求項２】
請求項１に記載の三次元造形装置において、
前記インクは、水性顔料インクである
ことを特徴とする三次元造形装置。
【請求項３】
供給される粉末材料により造形槽において所定の厚さで形成される粉末層に対して、前記粉末材料を硬化する無色バインダーおよび前記粉末材料を着色する有色バインダーをヘッドから吐出して断面形状を形成した後に、前記造形槽において該断面形状が形成された粉末層の上に新たな粉末層を形成して、該新たな粉末層に対して前記無色バインダーおよび前記有色バインダーを前記ヘッドから吐出して断面形状を形成するという動作を順次繰り返し行うことにより、断面形状を積層して三次元造形物を作製する三次元造形装置において、
作成する三次元造形物の三次元形状を表す三次元データから断面形状データを作成する作成手段と、
カートリッジ内に貯留された前記無色バインダーおよび前記有色バインダーの残量を取得する取得手段と、
前記取得手段により取得した前記無色バインダーおよび前記有色バインダーの残量に基づいて、前記無色バインダーおよび前記有色バインダーを予め設定された吐出量で吐出し、前記三次元データから作成した第１の断面形状データに基づいて三次元造形物を作製することが可能か否かの判断を行う判断手段と、
前記判断手段により三次元造形物を作製することが不可能であると判断されると、前記無色バインダーおよび前記有色バインダーを間引いて三次元造形物を作製すること、あるいは、三次元造形物を縮小して作製することを選択可能な選択画面を表示する画面表示手段と、
前記選択画面において、間引いて三次元造形物を作製することが選択されると、不足する前記無色バインダーおよび前記有色バインダーについて、予め設定された吐出量を間引いて、間引き後の吐出量を決定する間引き手段と、
前記選択画面において、三次元造形物を縮小して作製することが選択されると、不足する前記無色バインダーおよび前記有色バインダーのうち、不足量の最も大きい前記無色バインダーおよび前記有色バインダーの残量に基づいて三次元造形物の縮小率を決定し、決定した縮小率に基づいて前記三次元データを縮小する縮小手段と
を有し、
前記作成手段は、前記三次元データに基づいて前記第１の断面形状データを作成するとともに、前記縮小手段により縮小された前記三次元データに基づいて、第２の断面形状データを作成し、
前記制御手段は、前記間引き手段により間引き後の吐出量が決定されると、間引き後の吐出量が決定された前記無色バインダーおよび前記有色バインダーを当該間引き後の吐出量とし、前記第１の断面形状データに基づいて前記ヘッドを制御するとともに、前記縮小手段により前記三次元データが縮小されると、前記無色バインダーおよび前記有色バインダーを予め設定された吐出量とし、前記第２の断面形状データに基づいて前記ヘッドを制御する
ことを特徴とする三次元造形装置。
【請求項４】
請求項１または２のいずれか１項に記載の三次元造形装置において、さらに、
前記収容手段に配設され、前記バインダーおよび前記インクが貯留された各カートリッジの重量を計測する計測手段と
を有し、
前記取得手段は、前記計測手段で計測した重量から空のカートリッジの重量を減算して前記バインダーおよび前記インクの残量を取得する
ことを特徴とする三次元造形装置。
【請求項５】
請求項１、２または４のいずれか１項に記載の三次元造形装置において、さらに、
前記取得手段により取得した前記バインダーおよび前記インクの残量、前記三次元データから作成した第１の断面形状データ、ならびに、予め設定された前記バインダーおよび前記インクの吐出量に基づいて、前記第１の断面形状データに基づく断面形状を何層形成することができるかを算出する算出手段と
を有し、
前記判断手段は、前記算出手段により算出された断面形状の層数に基づいて、前記バインダーおよび前記インクを予め設定された吐出量で吐出し、前記第１の断面形状データに基づいて三次元造形物を作製することが可能か否かの判断を行う
ことを特徴とする三次元造形装置。
【請求項６】
請求項１、２、４および５のいずれか１項に記載の三次元造形装置において、
断面形状データに基づいて形成される断面形状は、内層、中間層および表層の３層構造で形成され、
前記間引き手段では、バインダーの間引き後の吐出量を決定する際には、内層における吐出量を、中間層および表層における吐出量よりも優先的に間引き、中間層における吐出量を表層における吐出量よりも優先的に間引く
ことを特徴とする三次元造形装置。
【請求項７】
供給される粉末材料により造形槽において所定の厚さで形成される粉末層に対して、前記粉末材料を硬化するバインダーおよび前記粉末材料を着色するインクをヘッドから吐出して断面形状を形成した後に、前記造形槽において該断面形状が形成された粉末層の上に新たな粉末層を形成して、該新たな粉末層に対して前記バインダーおよび前記インクを前記ヘッドから吐出して断面形状を形成するという動作を順次繰り返し行うことにより、断面形状を積層して三次元造形物を作製する三次元造形装置によって三次元造形物を作製する三次元造形方法において、
作成する三次元造形物の三次元形状を表す三次元データから第１の断面形状データを作成する第１の作成工程と、
カートリッジ内に貯留された前記バインダーおよび前記インクの残量を取得する取得工程と、
前記取得工程で取得した前記バインダーおよび前記インクの残量に基づいて、前記バインダーおよび前記インクを予め設定された吐出量で吐出し、前記第１の断面形状データに基づいて三次元造形物を作製することが可能か否かの判断を行う判断工程と、
前記判断工程で三次元造形物を作成することが不可能であると判断されると、前記バインダーおよび前記インクを間引いて三次元造形物を作製すること、あるいは、三次元造形物を縮小して作製することを選択可能な選択画像を表示する画像表示工程と、
前記選択画面において、間引いて三次元造形物を作製することが選択されると、不足する前記バインダーおよび前記インクについて、予め設定された吐出量を間引いて、間引き後の吐出量を決定する間引き工程と、
前記選択画面において、三次元造形物を縮小して作製することが選択されると、不足する前記バインダーおよび前記インクのうち、不足量の最も大きい前記バインダーおよび前記インクの残量に基づいて三次元造形物の縮小率を決定し、決定した縮小率に基づいて前記三次元データを縮小する縮小工程と、
前記間引き工程で間引き後の吐出量が決定されると、間引き後の吐出量が決定された前記バインダーおよび前記インクを当該間引き後の吐出量とし、前記第１の断面形状データに基づいて前記ヘッドを制御する第１の制御工程と、
前記縮小工程で前記三次元データが縮小されると、縮小された前記三次元データから第２の断面形状データを作成する第２の作成工程と、
前記第２の作成工程で前記第２の断面形状データが作成されると、前記バインダーおよび前記インクを予め設定された吐出量とし、前記第２の断面形状データに基づいて前記ヘッドを制御する第２の制御工程と
を前記三次元造形装置が実行する
ことを特徴とする三次元造形方法。
【発明の詳細な説明】
【技術分野】
【０００１】
本発明は、三次元造形装置および三次元造形方法に関し、さらに詳細には、粉体を原料として三次元造形物を作製する三次元造形装置および三次元造形方法に関する。
【背景技術】
【０００２】
従来より、粉体を原料として三次元造形物を作製する手法として、粉末固着積層方式が知られている。
【０００３】
こうした粉末固着積層方式による三次元造形装置については、例えば、特許文献１に開示されている。
【０００４】
即ち、特許文献１に開示された技術による三次元造形装置では、まず、三次元造形物を造形する造形槽に粉末材料を敷き詰めて所定の厚さの粉末層を形成する。
【０００５】
次に、この粉末層に対して、三次元造形物の断面形状の画像データに基づいて、吐出ヘッドから粉末材料を硬化するバインダーを吐出して、粉末層に当該画像データに基づく断面形状を形成する。
【０００６】
その後、断面形状が形成された粉末層上に所定の厚さの新たな粉末層を形成し、この粉末層に、形成した断面形状の次の断面形状を表す画像データに基づいて、吐出ヘッドからバインダーを吐出し、当該新たな粉末層に当該画像データに基づく断面形状を形成する。
【０００７】
そして、こうした処理を繰り返し行い、全ての断面形状を表す画像データに基づく断面形状を順次形成することで、三次元造形物を作製することとなる。
【０００８】
ところで、特許文献１に開示された技術による三次元造形装置などの従来より公知の三次元造形装置では、通常、断面形状を、三次元造形物の表面を形成する表層と、断面形状の内部を形成する内層と、表層と内層との間に形成される中間層とにより形成する（図１３を参照する。）。
【０００９】
内層は、無色のバインダーを低密度で吐出することにより形成され、また、中間層は、無色のバインダーを高密度で吐出することにより形成され、また、表層は、無色のバインダーと有色のバインダーとを混合したバインダーを高密度で吐出することにより形成されることとなる。
【００１０】
この表層については、作製する三次元造形物の外観を再現するために、着色して硬化するように有色のバインダーにより所定の色彩となるように形成される。このとき、作製する三次元造形物に色彩が必要ない場合には、表層は、無色のバインダーのみにより形成されることとなる。
【００１１】
また、こうした従来より公知の三次元造形装置においては、作製される三次元造形物の品質を一定に保つために、断面形状を連続して形成する必要がある。このため、三次元造形物を作製する際に、三次元造形装置内に残っているバインダーにより三次元造形物を作製することができるか否かの判断がなされる。
【００１２】
具体的には、まず、三次元造形物を作製する際に必要となるバインダーの総量を算出し、次に、有色のバインダーの吐出量を算出し、その後、バインダーの総量と有色のバインダーの吐出量との差分を無色のバインダーの吐出量として算出するようにしていた。
【００１３】
その後、算出された各バインダーの吐出量と、取得した各バインダーの残量とを比較して、三次元造形物を作製することが可能か否かの判断を行うようにしていた。
【００１４】
この判断により、三次元造形物を作製できると判断されると、三次元造形物の作製を開始することが可能となり、また、三次元造形物を作製できないと判断されると、新たなカートリッジと交換するよう促されるものであった。
【００１５】
このように、従来より公知の三次元造形装置においては、三次元造形物を作製することができない場合には、ユーザーは、新たなカートリッジと交換するあるいは三次元造形をやめるという選択肢しか与えられずに、ユーザーの意思を反映することができないことが問題点として指摘されていた。
【００１６】
なお、ユーザーの意思とは、例えば、強度を無視したり、倍率を変更してでも三次元造形物を作製したいなど、バインダー残量やインク残量で作製可能な三次元造形物を作製することである。
【００１７】
また、従来より公知の三次元造形装置においては、三次元造形物を作製することができないと判断されると、新たなカートリッジと交換しなければ三次元造形物を作製することができないため、ランニングコストの上昇を招来することが問題点として指摘されていた。
【００１８】
そして、従来より公知の三次元造形装置においては、インクやバインダーの残量を計測するための手法として、カートリッジと吐出ヘッドとの間に設けられたサブタンクにおいてインクやバインダーの残量を計測することが知られている。
【００１９】
具体的には、こうした三次元造形装置においては、バインダーなどが、カートリッジからサブタンクを介して吐出ヘッドに供給される構成となっており、このサブタンクに各バインダーの残量を測定するための構成が設けられ、これによりバインダーの残量を取得するようにしている。
【００２０】
このため、従来より公知の三次元造形装置では、サブタンクのスペースを設ける必要があるため、装置を小型化することが難しいという問題点が指摘されていた。
【先行技術文献】
【特許文献】
【００２１】
【特許文献１】米国特許第６９８９１１５号明細書
【発明の概要】
【発明が解決しようとする課題】
【００２２】
本発明は、上記したような従来の技術の有する種々の問題点に鑑みてなされたものであり、その目的とするところは、コスト高が抑制することが可能な三次元造形装置を提供しようとするものである。
【００２３】
また、本発明の目的とするところは、ユーザーの意思を反映するとともに、装置の小型化が可能な三次元造形装置および三次元造形方法を提供しようとするものである。
【課題を解決するための手段】
【００２４】
上記目的を達成するために、本発明による三次元造形装置は、供給される粉末材料により造形槽において所定の厚さで形成される粉末層に対して、上記粉末材料を硬化するバインダーおよび上記粉末材料を着色するインクをヘッドから吐出して断面形状を形成した後に、上記造形槽において該断面形状が形成された粉末層の上に新たな粉末層を形成して、該新たな粉末層に対して上記バインダーおよび上記インクを上記ヘッドから吐出して断面形状を形成するという動作を順次繰り返し行うことにより、断面形状を積層して三次元造形物を作製する三次元造形装置において、作成する三次元造形物の三次元形状を表す三次元データから断面形状データを作成する作成手段と、カートリッジ内に貯留された上記バインダーおよび上記インクの残量を取得する取得手段と、上記取得手段により取得した上記バインダーおよび上記インクの残量に基づいて、上記バインダーおよび上記インクを予め設定された吐出量で吐出し、上記三次元データから作成した第１の断面形状データに基づいて三次元造形物を作製することが可能か否かの判断を行う判断手段と、上記判断手段により三次元造形物を作製することが不可能であると判断されると、上記バインダーおよび上記インクを間引いて三次元造形物を作製すること、あるいは、三次元造形物を縮小して作製することを選択可能な選択画面を表示する画面表示手段と、上記選択画面において、間引いて三次元造形物を作製することが選択されると、不足する上記バインダーおよび上記インクについて、予め設定された吐出量を間引いて、間引き後の吐出量を決定する間引き手段と、上記選択画面において、三次元造形物を縮小して作製することが選択されると、不足する上記バインダーおよび上記インクのうち、不足量の最も大きい上記バインダーおよび上記インクの残量に基づいて三次元造形物の縮小率を決定し、決定した縮小率に基づいて上記三次元データを縮小する縮小手段とを有し、上記作成手段は、上記三次元データに基づいて上記第１の断面形状データを作成するとともに、上記縮小手段により縮小された上記三次元データに基づいて、第２の断面形状データを作成し、上記制御手段は、上記間引き手段により間引き後の吐出量が決定されると、間引き後の吐出量が決定された上記バインダーおよび上記インクを当該間引き後の吐出量とし、上記第１の断面形状データに基づいて上記ヘッドを制御するとともに、上記縮小手段により上記三次元データが縮小されると、上記バインダーおよび上記インクを予め設定された吐出量とし、上記第２の断面形状データに基づいて上記ヘッドを制御するようにしたものである。
【００２５】
また、本発明による三次元造形装置は、上記した三次元造形装置において、上記インクは、水性顔料インクであるようにしたものである。
【００２６】
また、本発明による三次元造形装置は、供給される粉末材料により造形槽において所定の厚さで形成される粉末層に対して、上記粉末材料を硬化する無色バインダーおよび上記粉末材料を着色する有色バインダーをヘッドから吐出して断面形状を形成した後に、上記造形槽において該断面形状が形成された粉末層の上に新たな粉末層を形成して、該新たな粉末層に対して上記無色バインダーおよび上記有色バインダーを上記ヘッドから吐出して断面形状を形成するという動作を順次繰り返し行うことにより、断面形状を積層して三次元造形物を作製する三次元造形装置において、作成する三次元造形物の三次元形状を表す三次元データから断面形状データを作成する作成手段と、カートリッジ内に貯留された上記無色バインダーおよび上記有色バインダーの残量を取得する取得手段と、上記取得手段により取得した上記無色バインダーおよび上記有色バインダーの残量に基づいて、上記無色バインダーおよび上記有色バインダーを予め設定された吐出量で吐出し、上記三次元データから作成した第１の断面形状データに基づいて三次元造形物を作製することが可能か否かの判断を行う判断手段と、上記判断手段により三次元造形物を作製することが不可能であると判断されると、上記無色バインダーおよび上記有色バインダーを間引いて三次元造形物を作製すること、あるいは、三次元造形物を縮小して作製することを選択可能な選択画面を表示する画面表示手段と、上記選択画面において、間引いて三次元造形物を作製することが選択されると、不足する上記無色バインダーおよび上記有色バインダーについて、予め設定された吐出量を間引いて、間引き後の吐出量を決定する間引き手段と、上記選択画面において、三次元造形物を縮小して作製することが選択されると、不足する上記無色バインダーおよび上記有色バインダーのうち、不足量の最も大きい上記無色バインダーおよび上記有色バインダーの残量に基づいて三次元造形物の縮小率を決定し、決定した縮小率に基づいて上記三次元データを縮小する縮小手段とを有し、上記作成手段は、上記三次元データに基づいて上記第１の断面形状データを作成するとともに、上記縮小手段により縮小された上記三次元データに基づいて、第２の断面形状データを作成し、上記制御手段は、上記間引き手段により間引き後の吐出量が決定されると、間引き後の吐出量が決定された上記無色バインダーおよび上記有色バインダーを当該間引き後の吐出量とし、上記第１の断面形状データに基づいて上記ヘッドを制御するとともに、上記縮小手段により上記三次元データが縮小されると、上記無色バインダーおよび上記有色バインダーを予め設定された吐出量とし、上記第２の断面形状データに基づいて上記ヘッドを制御するようにしたものである。
【００２７】
また、本発明による三次元造形装置は、上記した三次元造形装置において、さらに、上記収容手段に配設され、上記バインダーおよび上記インクが貯留された各カートリッジの重量を計測する計測手段とを有し、上記取得手段は、上記計測手段で計測した重量から空のカートリッジの重量を減算して上記バインダーおよび上記インクの残量を取得するようにしたものである。
【００２８】
また、本発明による三次元造形装置は、上記した三次元造形装置において、さらに、上記取得手段により取得した上記バインダーおよび上記インクの残量、上記三次元データから作成した第１の断面形状データ、ならびに、予め設定された上記バインダーおよび上記インクの吐出量に基づいて、上記第１の断面形状データに基すく断面形状を何層性形成することができるかを算出する算出手段とを有し、上記判断手段は、上記算出手段により算出された断面形状の層数に基づいて、上記バインダーおよび上記インクを予め設定された吐出量で吐出し、上記第１の断面形状データに基づいて三次元造形物を作製することが可能か否かの判断を行うようにしたものである。
【００２９】
また、本発明による三次元造形装置は、上記した三次元造形装置において、断面形状データに基づいて形成される断面形状は、内層、中間層および表層の３層構造で形成され、上記間引き手段では、バインダーの間引き後の吐出量を決定する際には、内層における吐出量を、中間層および表層における吐出量よりも優先的に間引き、中間道における吐出量を表層における吐出量よりも優先的に間引くようにしたものである。
【００３０】
また、本発明による三次元造形方法は、供給される粉末材料により造形槽において所定の厚さで形成される粉末層に対して、上記粉末材料を硬化するバインダーおよび上記粉末材料を着色するインクをヘッドから吐出して断面形状を形成した後に、上記造形槽において該断面形状が形成された粉末層の上に新たな粉末層を形成して、該新たな粉末層に対して上記バインダーおよび上記インクを上記ヘッドから吐出して断面形状を形成するという動作を順次繰り返し行うことにより、断面形状を積層して三次元造形物を作製する三次元造形装置によって三次元造形物を作製する三次元造形方法において、作成する三次元造形物の三次元形状を表す三次元データから第１の断面形状データを作成する第１の作成工程と、カートリッジ内に貯留された上記バインダーおよび上記インクの残量を取得する取得工程と、上記取得工程で取得した上記バインダーおよび上記インクの残量に基づいて、上記バインダーおよび上記インクを予め設定された吐出量で吐出し、上記第１の断面形状データに基づいて三次元造形物を作製することが可能か否かの判断を行う判断工程と、上記判断工程で三次元造形物を作成することが不可能であると判断されると、上記バインダーおよび上記インクを間引いて三次元造形物を作製すること、あるいは、三次元造形物を縮小して作製することを選択可能な選択画像を表示する画像表示工程と、上記選択画面において、間引いて三次元造形物を作製することが選択されると、不足する上記バインダーおよび上記インクについて、予め設定された吐出量を間引いて、間引き後の吐出量を決定する間引き工程と、上記選択画面において、三次元造形物を縮小して作製することが選択されると、不足する上記バインダーおよび上記インクのうち、不足量の最も大きい上記バインダーおよび上記インクの残量に基づいて三次元造形物の縮小率を決定し、決定した縮小率に基づいて上記三次元データを縮小する縮小工程と、上記間引き工程で間引き後の吐出量が決定されると、間引き後の吐出量が決定された上記バインダーおよび上記インクを当該間引き後の吐出量とし、上記第１の断面形状データに基づいて上記ヘッドを制御する第１の制御工程と、上記縮小工程で上記三次元データが縮小されると、縮小された上記三次元データから第２の断面形状データを作成する第２の作成工程と、上記第２の作成工程で上記第２の断面形状データが作成されると、上記バインダーおよび上記インクを予め設定された吐出量とし、上記第２の断面形状データに基づいて上記ヘッドを制御する第２の制御工程とを上記三次元造形装置が実行するようにしたものである。
【発明の効果】
【００３１】
本発明は、以上説明したように構成されているので、コスト高を抑制することが可能であるという優れた効果を奏するものである。
【００３２】
また、本発明は、以上説明したように構成されているので、ユーザーの意思を反映するとともに、装置の小型化が可能であるという優れた効果を奏するものである。
【図面の簡単な説明】
【００３３】
【図１】図１は、本発明による三次元造形装置の概略構成斜視説明図である。
【図２】図２は、図１のＩ−Ｉ線による切断面の端面を表す説明図である。
【図３】図３（ａ）は、バインダーおよびインクが収容された各カートリッジをカートリッジ収容部に収容した状態を簡易的に表した説明図であり、また、図３（ｂ）（ｃ）は、カートリッジ収容部においてカートリッジの重量を測定可能な構成を示す説明図である。
【図４】図４は、吐出ヘッドの構成を簡易的に表した説明図である。
【図５】図５は、マイクロコンピューターの機能的構成を示すブロック構成説明図である。
【図６】図６は、三次元造形処理の詳細な処理内容を示すフローチャートである。
【図７】図７は、間引き後の吐出量を決定する処理の詳細な処理内容を示すフローチャートである。
【図８】図８は、バインダーの間引き後の吐出量決定処理の詳細な処理内容を示すフローチャートである。
【図９】図９は、インクの間引き後の吐出量決定処理の詳細な処理内容を示すフローチャートである。
【図１０】図１０（ａ）（ｂ）は、本発明による三次元造形装置による三次元造形時の各構成部材の動作を説明する説明図である。
【図１１】図１１（ａ）（ｂ）は、本発明による三次元造形装置による三次元造形時の各構成部材の動作を説明する説明図である。
【図１２】図１２（ａ）（ｂ）は、本発明による三次元造形装置による三次元造形時の各構成部材の動作を説明する説明図である。
【図１３】図１３は、作製される三次元造形物の断面形状に形成される層を説明する説明図である。
【発明を実施するための形態】
【００３４】
以下、添付の図面を参照しながら、本発明による三次元造形装置および三次元造形方法の実施の形態の一例を詳細に説明することとする。
【００３５】
図１には、本発明による三次元造形装置の概略構成説明図が示されており、また、図２には、図１のＩ−Ｉ線による断面図が示されている。
【００３６】
この図１に示す三次元造形装置１０は、ベース部材１２において、粉末材料を貯留するための貯留槽１４と、貯留槽１４から供給される粉末材料が充填されて、三次元造形物が作製される造形槽１６と、貯留槽１４から造形槽１６に供給された粉末材料のうち、造形槽に充填しきれなかった粉末材料を収容する収容槽１８とが形成されている。
【００３７】
また、三次元造形装置１０は、ベース部材１２の上面１２ａにおいて、Ｙ軸方向に移動自在に配設された移動部材２０と、移動部材２０において固定的に配設され、バインダーおよびインクが貯留されたカートリッジを収容するカートリッジ収容部２２と、移動部材２０においてＸ軸方向に移動自在に配設され、カートリッジ収容部２２に収容されたカートリッジからバインダーおよびインクが供給されるとともに、供給されたバインダーおよびインクを吐出する吐出ヘッド２４と、移動部材２０において吐出ヘッド２４の前方側に配設されたローラ２６とを備えている。
【００３８】
なお、三次元造形装置１０の全体的な動作については、マイクロコンピューター２８により制御される。
【００３９】
より詳細には、貯留槽１４と造形槽１６と収容槽１８とは、ＸＹＺ直交座標系におけるＹ軸に沿って並設されており、後方側から前方側に向かって、貯留槽１４、造形槽１６、収容槽１８の順で並んで配設されている。
【００４０】
貯留槽１４は、内部に昇降板２１が配設されており、この昇降板２１は、モーター（図示せず。）により貯留槽１４内部を昇降可能な構成となっている。
【００４１】
そして、貯留槽１４では、内部に粉末材料が貯留された状態で、昇降板２１が上昇することにより、貯留された粉末材料を上昇させ、これにより、開口部１４ａから所定量の粉末材料を上昇させることとなる。なお、こうして開口部１４ａから上昇した所定量の粉末材料は、移動部材２０がＹ軸方向を後方側から前方側に移動することにより、ローラ２６によって後方側から前方側に押し進め、貯留槽１４の前方側に位置する造形槽１６に供給されることとなる。
【００４２】
従って、貯留槽１４では、マイクロコンピューター２８により、粉末材料を貯留する際には昇降板２１が下降するように制御され、粉末材料を供給するときには昇降板２１が上昇するように制御される。
【００４３】
造形槽１６は、内部に昇降板３０が配設されており、この昇降板３０は、モーター（図示せず。）により造形槽１６内部を昇降可能な構成となっている。
【００４４】
そして、造形槽１６は、開口部１６ａと同じ高さ位置たる初期位置に位置する昇降板３０を下降することにより、造形槽１６内に所定量の粉末材料を充填可能な空間を形成する。
【００４５】
こうして形成された空間には、ローラ２６により後方側から前方側に押し進められた所定量の粉末材料が充填されることとなり、これにより、造形槽１６に貯留槽１４から粉末材料が供給されることとなる。
【００４６】
収容槽１８は、開口部１８ａが開口部１４ａおよび開口部１６ａと同じ高さ位置あるいはやや下方側の高さ位置に位置するように設計されている。
【００４７】
そして、ローラ２６により後方側から前方側に押し進められた所定量の粉末材料のうち、造形槽１６に充填できなかった粉末材料が、開口部１８ａから収容槽１８に収容されることとなる。
【００４８】
移動部材２０は、Ｘ軸方向に延設される延設部材２０−１と、延設部材２０−１の右側面および左側面に配設された側方部材２０−２、２０−３とを有して構成されている。
【００４９】
そして、側方部材２０−２、２０−３は、ベース部材１２の上面１２ａにおいてＹ軸方向に沿って延設された一対のガイドレール３２に摺動自在に配設されている。
【００５０】
これにより、移動部材２０は、この一対のガイドレール３２に沿ってＹ軸方向に移動自在な構成となっている。
【００５１】
カートリッジ収容部２２は、移動部材２０における延設部材２０−１の後面２０−１ａに固定的に配設され、貯留槽１４に貯留される粉末材料を硬化するための無色（つまり、透明である。）のバインダーを貯留するカートリッジ４０と、Ｃ（シアン）のインクを貯留するカートリッジ４２と、Ｍ（マゼンタ）のインクを貯留するカートリッジ４４と、Ｙ（イエロー）のインクを貯留するカートリッジ４６と、Ｋ（ブラック）のインクを貯留するカートリッジ４８とを収容することが可能構成となっている（図３（ａ）を参照する。）。
【００５２】
ここで、カートリッジ４２に貯留されるＣ（シアン）のインク、カートリッジ４４に貯留されるＭ（マゼンタ）のインク、カートリッジ４６に貯留されるＹ（イエロー）のインクおよびカートリッジ４８に貯留されるＫ（ブラック）のインクは、水系の溶媒に顔料が分散した水性顔料インクであり、これらインクのみでは粉末材料を硬化することが不可能となっている。
【００５３】
なお、こうした水性顔料インクとしては、例えば、インクジェットプリンタなどに用いられる汎用性の高い比較的安価なインクが用いることができる。
【００５４】
また、カートリッジ収容部２２には、カートリッジ４０、４２、４４、４６、４８についてはそれぞれ、貯留するバインダーおよびインクの残量を計測するための計測機構が設けられている。
【００５５】
具体的には、計測機構は、カートリッジ収容部２２の底面２２ａにヒンジなどにより回動自在に配設された回動部５０と、回動部５０から所定の間隔を空けて底面２２ａに配設された重量センサ５２と、重量センサ５２上に立設され、カートリッジを支持する支持部材５４とを有して構成されるようする（図３（ｂ）を参照する。）。なお、回動部５０は、カートリッジを固定することが可能な形状となっている。
【００５６】
そして、こうした構成の場合には、カートリッジの前方側（つまり、カートリッジ内に貯留されたバインダーあるいはインクを流出する流出孔が設けられた側である。）の下方側端部を回動部５０に取り付けるとともに、カートリッジの後方側の底面を支持部材５４上に載置することとなる。
【００５７】
また、計測機構は、カートリッジ収容部２２の底面２２ａに、カートリッジを収容可能な収容ステージ５６が設けられた重量センサ５８を設けるようにしてもよい（図３（ｃ）を参照する。）。
【００５８】
そして、こうした構成の場合には、単に、カートリッジを収容ステージ５６に収容することとなる。
【００５９】
吐出ヘッド２４は、移動部材２０における延設部材２０−１の前面においてＸ軸方向に延設されたガイドレールに摺動自在に配設され、延設部材２０−１においてＸ軸方向に移動自在な構成となっている。
【００６０】
このため、吐出ヘッド２４は、ベース部材１２の上面１２ａの上方側をＸ軸方向に移動するとともに、移動部材２０を介してＹ軸方向で移動することが可能となる。
【００６１】
なお、吐出ヘッド２４は、上面１２ａの上方側をＸ軸方向およびＹ軸方向に移動する際に、下面２４ａが、貯留槽１４の開口部１４ａ、造形槽１６の開口部１６ａおよび収容槽１８の開口部１８ａと接することがないよう、各開口部よりも当該下面２４ａが高い高さ位置となるように延設部材２０−１に配設され、各開口部と当該下面２４ａとは、高さ方向（Ｚ軸方向）で所定の間隔が空くように配設されている。
【００６２】
また、吐出ヘッド２４は、カートリッジ４０から無色のバインダーが供給されるヘッド６０と、カートリッジ４２からＣ（シアン）のインクが供給されるヘッド６２と、カートリッジ４４からＭ（マゼンタ）のインクが供給されるヘッド６４と、カートリッジ４６からＹ（イエロー）のインクが供給されるヘッド６６と、カートリッジ４８からＫ（ブラック）のインクが供給されるヘッド６８とが配設されている（図４を参照する。）。
【００６３】
なお、カートリッジとヘッドとの間にサブタンクは配設されず、各カートリッジから各ヘッドへは、チューブを介してバインダーおよびインクが供給されることとなる。このとき、チューブを介してバインダーおよびインクを供給する手法としては、従来より公知の技術を用いることが可能なため、その詳細な説明は省略することとする。
【００６４】
そして、吐出ヘッド２４の下面２４ａには、ヘッド６０に供給された無色のバインダーを吐出するノズル６０ａと、ヘッド６２に供給されるＣ（シアン）のインクを吐出するノズル６２ａと、ヘッド６４に供給されるＭ（マゼンタ）のインクを吐出するノズル６４ａと、ヘッド６６に供給されるＹ（イエロー）のインクを吐出するノズル６６ａと、ヘッド６８に供給されるＫ（ブラック）のインクを吐出するノズル６８ａとが配設されている（図４を参照する。）。
【００６５】
こうした構成により、吐出ヘッド２４は、ベース部材１２の上面１２ａの上方側を、貯留槽１４、造形槽１６および収容槽１８に接触することなく、Ｘ軸方向に移動するとともに、移動部材２０を介してＹ軸方向に移動することが可能となる。
【００６６】
なお、吐出ヘッド２４は、インクジェット方式によりバインダーおよびインクを吐出する。
【００６７】
ローラ２６は、移動部材２０における吐出ヘッド２４の前方側において、Ｘ軸方向に沿って延長して配設される。
【００６８】
また、ローラ２６は、高さ方向（Ｚ軸方向）において、開口部１４ａおよび開口部１６ａよりもわずか（つまり、開口部１４ａ、１６ａと吐出ヘッド２４の下面２４ａとにより形成される所定の間隔よりも小さい値である。）に上方側に位置するよう配設されている。
【００６９】
従って、ローラ２６は、移動部材２０を介してＹ軸方向に移動可能となっている。
【００７０】
これにより、移動部材２０を介してローラ２６が後方から前方側に移動すると、ローラ２６は矢印Ａ方向に回転し、これにより、貯留槽１４における昇降板２１の上昇により開口部１４ａの上方側に盛り上がった粉末材料は、ローラ２６によって後方側から前方側に押し出されて、押し出された粉末材料は、造形槽１６に充填されることとなる。なお、このとき、造形槽１６に充填できなかった粉末材料については、ローラ２６の後方側から前方側への移動に伴って収容槽１８に収容されることとなる。
【００７１】
さらに、ローラ２６は、Ｘ軸に平行なローラ２６の中心軸周りに回転可能な構成となっている。なお、こうしたローラ２６の回転は、移動部材２０がＹ軸方向に移動する際になされるものである。
【００７２】
マイクロコンピューター２８は、三次元造形のための各構成部材の基本的な制御に加えて、カートリッジ内のバインダーおよびインクから形成可能な層（断面形状）の数を算出したり、ユーザーの選択に基づいて、カートリッジ内のバインダーおよびインクで作製可能な三次元造形物を作製するような制御を行う。
【００７３】
ここで、図５を参照しながら、マイクロコンピューター２８の機能的構成について説明する。
【００７４】
マイクロコンピューター２８は、バインダーおよびインクの吐出量や三次元造形物の三次元形状を表す三次元データなどの各種の情報が記憶される記憶部７０と、三次元データから断面形状データを作成する作成部７１と、記憶部７０に記憶された設定情報や作成部７１で作成した断面形状データに基づいて三次元造形物のための各構成部材の制御を行う制御部７２と、カートリッジ内のバインダーおよびインクの算用に応じて三次元造形物を作製するための設定情報の変更を行う設定変更部７４とを有して構成される。
【００７５】
なお、設定情報とは、作製する三次元造形物の内層、中間層および表層におけるインクヘッド４０からのバインダーの吐出量、表層におけるインクヘッド４２、４４、４６、４８からの各インクの吐出量を含む各構成部材の動作を制御するための情報である。
【００７６】
作成部７１は、作製する三次元造形物の三次元形状を表す三次元データを、水平方向に所定の間隔、例えば、３０μｍ毎に切断した断面を表す断面形状データを作成する。
【００７７】
具体的には、作成部７１は、記憶部７０に記憶された三次元データから基本断面形状データを作成するとともに、縮小部８６（後述する。）で縮小された三次元データから縮小断面形状データを作成することとなる。
【００７８】
なお、こうして作成された各断面形状データは、順に番号が付されて、制御部７２の制御は、この番号順に、断面形状データに基づく断面形状を形成することで、三次元造形物が形成されることとなる。
【００７９】
また、この設定変更部７４は、重量センサ５２（５８）により計測された各カートリッジにおける重量からバインダーおよびインクの重量を取得する取得部７６と、取得した重量と、作成部７１で作成された基本断面形状データとから形成可能な層数を算出する層数算出部７８と、層数算出部７８で算出した層数が、作成部７１で作成された基本断面形状データの数より少ないか否かの判断を行う判断部８０と、判断部８０で、層数算出部７８で算出した層数が、基本断面形状データの数より少ないと判断された場合に、不足するバインダーおよびインクを間引いて三次元造形物を作製するか、三次元造形物を縮小して作製するかの選択画面を表示装置（図示せず。）に表示する画面表示部８２と、選択画面において、ユーザーにより間引いて作製することが選択された場合、三次元造形時に不足するバインダーおよびインクの全ての吐出量を間引く間引き部８４と、選択画面において、ユーザーにより縮小して三次元造形物を作製することが選択された場合、不足するバインダーおよびインクのうち、最も不足する量が大きいバインダーまたはインクに合わせて三次元データを縮小する縮小部８６とを備えている。
【００８０】
より詳細には、取得部７６は、重量センサ５２（５８）により計測された各カートリッジにおける重量（貯留されたインクを含む）から風袋たる空のカートリッジの重量（予め記憶されている。）を減算し、算出された値をバインダーおよびインクの重量として取得することとなる。
【００８１】
即ち、取得部７６では、重量センサ５２（５８）により計測されたカートリッジ４０の重量から空のカートリッジの重量を減算し、カートリッジ４０内に貯留されたバインダーの残量を取得する。
【００８２】
また、重量センサ５２（５８）により計測されたカートリッジ４２の重量から空のカートリッジの重量を減算し、カートリッジ４２内に貯留されたＣ（シアン）のインクの残量を取得する。
【００８３】
また、重量センサ５２（５８）により計測されたカートリッジ４４の重量から空のカートリッジの重量を減算し、カートリッジ４４内に貯留されたＭ（マゼンタ）のインクの残量を取得する。
【００８４】
また、重量センサ５２（５８）により計測されたカートリッジ４６の重量から空のカートリッジの重量を減算し、カートリッジ４６内に貯留されたＹ（イエロー）のインクの残量を取得する。
【００８５】
また、重量センサ５２（５８）により計測されたカートリッジ４８の重量から空のカートリッジの重量を減算し、カートリッジ４８内に貯留されたＫ（ブラック）のインクの残量を取得する。
【００８６】
層数算出部７８は、取得部７６で取得した重量と、作成部７１で作成された基本断面形状データおよび初期設定として設定されたバインダーおよびインクの吐出量とから、三次元造形時に形成可能な層数を算出する。
【００８７】
即ち、この層数算出部７８では、まず、バインダーについて、取得部７６で取得した残量により、最初の基本断面形状データに基づく断面形状を表す第１層から最後の基本断面形状データに基づく断面形状を表す最終層までのうち、初期設定に設定された吐出量で形成することが可能な層数を算出する。なお、基本断面形状データに基づいて形成される各断面形状におけるバインダーおよびインクの使用量は、各基本断面形状データにおける内層、中間層および表層の体積ならびに内層、中間層および表層におけるバインダーの吐出量などから算出する。さらに、初期設定として設定されたバインダーおよびインクの吐出量とは、三次元造形を行う際の条件として予め設定されている内層、中間層および表層におけるバインダーの吐出量や表層におけるインクの吐出量である。
【００８８】
また、Ｃ（シアン）のインク、Ｍ（マゼンタ）のインク、Ｙ（イエロー）のインクおよびＫ（ブラック）のインクについてそれぞれ、取得部７６で取得した残量により、第１層目から最終層までのうち、初期設定に設定された吐出量で断面形状を形成することが可能な層数を算出する。
【００８９】
なお、層数算出部７８では、層数を算出する際に、第１層から最終層までの所定の層数が算出された時点で算出処理を終了する。つまり、最終層が第５０層であるとすると、算出された層数が５０となった時点で算出処理を終了する。
【００９０】
判断部８０は、層数算出部７８で算出した層数が、三次元造形物の基本断面形状データの数より少ないか否かの判断を行うとともに、この判断結果から、作成部７１で作成された基本断面形状データおよび初期設定で設定された吐出量に基づいて三次元造形物を作製することが可能か否かの判断を行う。
【００９１】
即ち、この判断部８０は、層数算出部７８で算出した層数が、最初の基本断面形状データに基づく第１層から最後の基本断面形状データに基づく最終層までの所定の層数に達したか否かの判断を行う。
【００９２】
つまり、層数算出部７８で算出した層数が所定の層数に達していないと、当該層数が基本断面形状データの数より少ないと判断され、基本断面形状データおよび初期設定で設定された吐出量に基づいて三次元造形物を作製することが不可能であると判断される。
【００９３】
また、層数算出部７８で算出した層数が所定の層数に達していると、当該層数が基本断面形状データより少なくないと判断され、基本断面形状データおよび初期設定で設定された吐出量に基づいて三次元造形物を作製することが可能であると判断される。
【００９４】
そして、判断部８０において判断された判断結果は、選択画面表示部８２に出力される。
【００９５】
また、バインダーおよび各インクが形成可能な層数のうち、所定の層数に達していないと判断された層数のうち、最も値の小さい層数を、三次元造形時に形成可能な層数と判断する。
【００９６】
画面表示部８２は、判断部８０から、作成部７１で作成された基本断面形状データおよび初期設定で設定された吐出量に基づいて三次元造形を行うことが可能であるとの判断結果が出力されると、この判断結果を表示装置（図示せず。）に表示する。
【００９７】
また、画面表示部８２は、判断部８０から、作成部７１で作成された基本断面形状データおよび初期設定で設定された吐出量に基づいて三次元造形を行うことが不可能であるとの判断結果が出力されると、この判断結果を表示装置（図示せず。）に表示するとともに、不足するバインダーおよびインクを間引いて三次元造形物を作製すること、あるいは、不足するバインダーおよびインクに応じて三次元造形物を縮小して作製することを選択可能な選択画面を表示装置（図示せず。）に表示する。
【００９８】
間引き部８４は、層数算出部７８における算出結果に基づいて三次元造形の際に不足するバインダーおよびインクを特定し、不足するバインダーおよびインクの全てに対して、三次元造形物を作製する際に必要となるバインダーおよびインクの総量を算出し、算出された総量と、取得部７６で取得した残量とを用いて、間引き後の吐出量を決定し、不足するバインダーおよびインクの三次元造形時の吐出量として、間引き後の吐出量を設定する。
【００９９】
即ち、間引き部８４は、層数算出部７８で所定の層数に達さなかった原因となるバインダーおよびインクを、不足するバインダーおよびインクとして特定する。
【０１００】
また、間引き部８４は、三次元造形を作製する際に不足すると特定されたバインダーおよびインクのそれぞれに対して、初期設定に設定された吐出量で、第１層から最終層までの各断面形状を形成するために必要となるバインダーあるいはインクの総量を算出することとなる。
【０１０１】
つまり、例えば、バインダーとＭ（マゼンタ）のインクが不足すると特定されると、初期設定に設定された吐出量で、第１層から最終層までの断面形状を形成するために必要となるバインダーの総量およびＭ（マゼンタ）のインクの総量を算出することとなる。なお、こうしたバインダーおよびインクの総量については、層数算出部７８で算出された各断面形状におけるバインダーおよびインクの使用量を合算することにより算出される。
【０１０２】
ここで、断面形状を形成する際に、バインダーは、断面形状の内層、中間層および表層の形成に用いられ、インクは、断面形状の表層の形成のみに用いられる。
【０１０３】
このため、算出されるバインダーの総量とは、初期設定に設定された吐出量で、第１層から最終層までの各断面形状における内層を形成するために必要となるバインダーの総量（以下、「バインダーの内層の総量」と称する。）、第１層から最終層までの各断面形状における中間層を形成するために必要となるバインダーの総量（以下、「バインダーの中間層の総量」と称する。）および第１層から最終層までの各断面形状における表層を形成するために必要となるバインダーの総量（以下、「バインダーの表層の総量」と称する。）が算出されることとなる。また、算出されるインクの総量とは、初期設定に設定された吐出量で、第１層から最終層までの断面形状における表層を形成するために必要となるインクの総量（以下、「インクの表層の総量」と称する。）が算出されることとなる。
【０１０４】
そして、こうして算出されたバインダーの総量およびインクの総量と、取得部７６で取得したバインダーの残量およびインクの残量とを用いて、不足すると特定されたバインダーおよびインクの間引き後の吐出量を決定する。
【０１０５】
なお、間引き後の吐出量としては、全ての画素にバインダーおよびインクが吐出されるときを１００％の吐出量とし、初期設定における吐出量が５０％であるとすると、この吐出量以下となるように間引き後の吐出量を決定することとなる。
【０１０６】
また、バインダーの吐出量を間引く際には、内層、中間層、表層に優先順位が設けられており、まず、内層におけるバインダーの吐出量を間引くようにする。また、内層におけるバインダーの吐出量を限界値まで間引いても三次元造形物を作製することができない場合には、次に、中間層におけるバインダーの吐出量を間引くようにする。さらに、中間層におけるバインダーの吐出量を間引いても三次元造形物を作製することができない場合には、次に、表層におけるバインダーの吐出量を間引くようにする。
【０１０７】
こうした内層の間引き後の吐出量の限界値、中間層の間引き後の吐出量の限界値および表層の間引き後の吐出量の限界値は、予め記憶部７０に設定されている。
【０１０８】
なお、決定した間引き後の吐出量は、記憶部７０に出力され、三次元造形時には制御部７２によって、この間引き後の吐出量に基づいた三次元造形がなされることとなる。
【０１０９】
縮小部８６は、層数算出部７８における算出結果に基づいて三次元造形の際に不足するバインダーおよびインクを特定し、不足するバインダーおよびインクのうち、不足量が最も大きいバインダーあるいはインクに基づいて、三次元造形物を縮小する倍率を決定し、決定した倍率に基づいて、三次元造形物の三次元データを縮小する。
【０１１０】
即ち、縮小部８６は、層数算出部７８で所定の層数に達さなかった原因となるバインダーおよびインクを、不足するバインダーおよびインクとして特定する。
【０１１１】
また、縮小部８６は、不足するバインダーおよびインクの全てに対して、三次元造形物を作製する際に必要となるバインダーおよびインクの総量を算出し、算出された総量と取得部７６で取得した残量とから、その不足量を算出する。
【０１１２】
つまり、不足すると特定されたバインダーおよびインクのそれぞれに対して、初期設定に設定された吐出量で、第１層から最終層までの各断面形状を形成するために必要となるバインダーあるいはインクの総量を算出する。
【０１１３】
こうして算出されたバインダーの総量およびインクの総量と、取得部７６で取得したバインダーの残量およびインクの残量とから、不足量が最も大きいバインダーあるいはインクを決定する。
【０１１４】
その後、決定したバインダーまたはインクの残量で、三次元造形物の作製が可能となる最も大きい縮小率を決定する。
【０１１５】
そして、決定した縮小率に基づいて、記憶部７０に記憶された三次元造形物の三次元データを縮小する。
【０１１６】
この縮小した三次元データは、作成部７１に出力され、作成部７１において縮小した三次元データに基づく断面形状データ（つまり、縮小断面形状データである。）が作成されることとなる。
【０１１７】
以上の構成において、本発明による三次元造形装置１０において、三次元造形物を作製する場合について説明する。
【０１１８】
まず、ユーザーは、貯留槽１４に、三次元造形物を作製するために十分な粉末材料を充填するとともに、造形槽１６における昇降板３０を開口部１６ａに位置した状態とする（図１０（ａ）を参照する。）。なお、このとき、移動部材２０は、ローラ２６が貯留槽１４よりも後方側に位置する所定の位置に位置させる。
【０１１９】
また、三次元造形を開始する前に、ユーザーは、作成する三次元造形物の三次元形状を表す三次元データから断面形状データを作成する指示を行って、断面形状データを作成する。なお、こうして作成された断面形状データは、記憶部７０に出力され、記憶部７０において基本断面形状データとして記憶される。
【０１２０】
その後、ユーザーにより操作子（図示せず。）が操作され、三次元造形の開始が指示されると、三次元造形処理が開始され、この三次元造形処理では、まず、カートリッジ収容部２２に収容された各カートリッジ内に貯留されたバインダーおよびインクの残量を取得する（ステップＳ６０２）。
【０１２１】
即ち、このステップＳ６０２の処理では、取得部７６により、重量センサ５２（５８）で計測されたカートリッジの重量を取得し、取得したカートリッジの重量から、空のカートリッジの重量を減算して、バインダーおよび各インクの残量を算出することとなる。
【０１２２】
次に、算出したバインダーおよびインクの残量、基本断面形状データおよび初期設定として設定されたバインダーおよびインクの吐出量に基づいて、形成可能な層数を算出する（ステップＳ６０４）。
【０１２３】
即ち、このステップＳ６０４の処理では、層数算出部７８により、算出されたバインダーの残量およびインクの残量により、初期設定に設定された吐出量で形成可能な層数を算出することとなる。
【０１２４】
その後、初期設定で設定された吐出量により三次元造形物を作製することが可能か否かの判断を行う（ステップＳ６０６）。
【０１２５】
即ち、このステップＳ６０６の判断処理においては、判断部８０により、ステップＳ６０４の処理で算出された層数が、最初の基本断面形状データに基づく第１層から、最後の基本断面形状データに基づく最終層までの所定の層数に達したか否かの判断を行うこととなる。
【０１２６】
つまり、判断部８０において、ステップＳ６０４の処理で算出された層数が、所定の層数に達していないと判断されると、基本断面形状データおよび初期設定で設定された吐出量に基づいて三次元造形物を作製することが不可能であると判断され、ステップＳ６０４の処理で算出された層数が、所定の層数に達したと判断されると、基本断面形状データおよび初期設定で設定された吐出量に基づいて三次元造形物を作製することが可能であると判断される。
【０１２７】
ステップＳ６０６の判断処理により、初期設定で設定された吐出量により三次元造形物を作製することが可能であると判断されると、初期設定で設定された吐出量により三次元造形を行い（ステップＳ６０８）、最終層の断面形状を形成した後に、この三次元造形処理を終了する。
【０１２８】
即ち、このステップＳ６０８の処理では、三次元造形装置１０により、バインダーおよび各インクの吐出量は初期設定のままで、基本断面形状データに基づいて、三次元造形物を作製することとなる。
【０１２９】
具体的には、まず、図１０（ａ）に示す状態から、貯留槽１４における昇降板２１を一定量だけ上昇し、貯留槽１４の開口部１４ａの上方側に粉末材料が盛り上がった状態とするとともに、昇降板３０を所定量だけ下降する（図１０（ｂ）を参照する。）。このとき、昇降板３０が下降する所定量としては、造形槽１６に充填される粉末材料により形成される粉末層が所定の厚さとなるような量とし、この所定の厚さは、三次元造形物の三次元データをＺ軸方向に分割する際の間隔と一致する。
【０１３０】
そして、ローラ２６を矢印Ｂ方向（図１においては、矢印Ａ方向として示されている。）に回転しながら、移動部材２０を前方側に移動することで、開口部１４ａの上方側に盛り上がった粉末材料は、ローラ２６により前方側に押し出され、その多くが造形槽１６に充填されて粉末層を形成し、造形槽１６に充填されなかった粉末材料は、収容槽１８に収容される（図１１（ａ）を参照する。）。
【０１３１】
その後、マイクロコンピューター２８における制御部７２の制御により、造形槽１６に形成された粉末層に対して、所定の基本断面形状データに基づく位置に、初期設定で設定された吐出量で、吐出ヘッド２４からバインダーおよび各インクを吐出して、当該粉末層に当該所定の基本断面形状データに基づく断面形状を形成する（図１１（ｂ）を参照する。）。
【０１３２】
こうして断面形状が形成されると、移動部材２０は所定の位置に戻し、貯留槽１４における昇降板２１を上昇して開口部１４ａの上方側に粉末材料が盛り上がった状態とするとともに、造形槽１６における昇降板３０を所定量だけ下降する（図１２（ａ）を参照する。）。
【０１３３】
その後、ローラ２６を矢印Ｂ方向に回転しながら、移動部材２０を前方側に移動する（図１２（ｂ）を参照する。）。これにより、造形槽１６において、断面形状が形成された粉末層の上にさらなる粉末層が形成され、新たに形成された粉末層に、所定の基本断面形状データの次の基本断面形状データに基づく位置に、初期設定で設定された吐出量で、吐出ヘッド２４からバインダーおよび各インクを吐出して、新たに形成された粉末層に当該基本断面形状データに基づく断面形状を形成する。
【０１３４】
このようにして、断面形状を形成した粉末層の上に新たな粉末層を形成し、形成した新たな粉末層に、基本断面形状データに基づく位置に、初期設定で設定された吐出量で、吐出ヘッド２４からバインダーおよびインクを吐出して断面形状を形成する処理を繰り返し行って、基本断面形状データに基づく三次元造形物を作製することとなる。
【０１３５】
一方、ステップＳ６０６の判断処理により、初期設定で設定された吐出量により三次元造形物を作製することが不可能であると判断されると、表示装置（図示せず。）に、間引いて三次元造形物を作製するか、あるいは、三次元造形物を縮小して作製するかの選択画面を表示する（ステップＳ６１０）。
【０１３６】
即ち、このステップＳ６１０の処理では、画面表示部８２により、図示しない表示装置に、不足するバインダーおよびインクを間引いて三次元造形物を作製すること、あるいは、不足するバインダーおよびインクに応じて三次元造形物を縮小して作製することを選択可能な選択画面の表示を行うこととなる。
【０１３７】
表示装置（図示せず。）に選択画面が表示されると、次に、不足するバインダーおよびインクを間引いて三次元造形物を作製することが選択されたか否かの判断を行う（ステップＳ６１２）。
【０１３８】
ステップＳ６１２の判断処理において、不足するバインダーおよびインクを間引いて三次元造形物を作製することが選択されたと判断されると、層数算出部７８において特定された不足するバインダーおよびインクについて、三次元造形物を作製する際に必要となるバインダーおよびインクの総量を算出する（ステップＳ６１４）。
【０１３９】
即ち、このステップＳ６１４の処理では、間引き部８４により、三次元造形物を作製する際に不足するとされたバインダーおよびインクのそれぞれに対して、初期設定に設定された吐出量で、第１層から最終層までの各断面形状を形成するために必要となるバインダーあるいはインクの総量を算出することとなる。
【０１４０】
その後、ステップＳ６１４の処理で算出した不足するバインダーおよびインクの総量と、ステップＳ６０２の処理で取得した当該バインダーおよびインクの残量とから、当該バインダーおよびインクに対する間引き後の吐出量を決定する（ステップＳ６１６）。
【０１４１】
そして、不足するバインダーおよびインクのみをステップＳ６１６の処理で決定した間引き後の吐出量とし、他のバインダーおよびインク（つまり、不足するバインダーおよびインクであると特定されなかったバインダーおよびインクである。）については初期設定の吐出量として、三次元造形を行い（ステップＳ６１８）、最終層の断面形状を形成した後に、この三次元造形処理を終了する。
【０１４２】
即ち、このステップＳ６１８の処理では、三次元造形装置１０により、不足するバインダーおよびインクのみをステップＳ６１６の処理で決定した間引き後の吐出量とするとともに、他のバインダーおよびインクについては初期設定で設定された吐出量とし、基本断面形状データに基づいて、三次元造形物を作製することとなる。
【０１４３】
なお、具体的な処理としては、不足するバインダーおよびインクを間引き後の吐出量とし、その他のバインダーおよびインクについては、初期設定に設定された吐出量で吐出ヘッド２４からバインダーおよびインクを吐出する点のみ、上記したステップＳ６０８の処理と異なる。
【０１４４】
つまり、ステップＳ６１８の処理では、造形槽１６に形成した粉末層に、基本断面形状データに基づく位置に、吐出ヘッド２４からバインダーおよびインクを吐出して断面形状を形成する処理を繰り返し行って、基本断面形状データに基づく三次元造形物を作製することとなる。なお、このとき、吐出ヘッド２４から吐出されるバインダーおよび各インクについては、不足するバインダーおよびインクを間引き後の吐出量で、その他のバインダーおよびインクを初期設定で設定された吐出量で吐出することとなる。
【０１４５】
具体的には、例えば、ステップＳ６１６の処理でバインダーおよびＭ（マゼンタ）のインクについて間引き後の吐出量が決定されたとすると、図１１（ａ）に示す状態とした後に、マイクロコンピューター２８における制御部７２の制御により、造形槽１６に形成された粉末層に対して、所定の基本断面形状データに基づく位置に、吐出ヘッド２４からバインダーおよび各インクを吐出して、当該粉末層に当該所定の基本断面形状データに基づく断面形状を形成することとなる。このとき、吐出ヘッド２４から吐出されるバインダーおよびＭ（マゼンタ）のインクについては間引き後の吐出量で、Ｃ（シアン）のインク、Ｙ（イエロー）のインクおよびＫ（ブラック）のインクについては初期設定で設定された吐出量で、吐出される。
【０１４６】
さらに、図１２（ｂ）に示す状態とした後に、新たに形成された粉末層に、所定の基本断面形状データの次の基本断面形状データに基づく位置に、吐出ヘッド２４からバインダーおよび各インクを吐出して、新たに形成された粉末層に当該基本断面形状データに基づく断面形状を形成することとなる。このとき、吐出ヘッド２４から吐出されるバインダーおよびＭ（マゼンタ）のインクについては間引き後の吐出量で、Ｃ（シアン）のインク、Ｙ（イエロー）のインクおよびＫ（ブラック）のインクについては初期設定で設定された吐出量で、吐出される。
【０１４７】
ここで、ステップＳ６１４の処理およびステップＳ６１６の処理、つまり、間引き後の吐出量を決定する処理ついて、具体例を挙げて説明する。なお、以下に記載する具体例は、間引き後の吐出量を決定する処理の一例であって、間引き後の吐出量を決定する処理としては、下記記載の具体例に限定されるものではない。
【０１４８】
図７のフローチャートには、この間引き後の吐出量を決定する処理の詳細な処理内容が示されており、この間引き後の吐出量の決定処理においては、まず、バインダーが不足するか否かの判断を行う（ステップＳ７０２）。
【０１４９】
そして、このステップＳ７０２の判断処理において、バインダーが不足しないと判断されると、後述するステップＳ７０６の処理に進む。
【０１５０】
一方、ステップＳ７０２の判断処理において、バインダーが不足すると判断されると、バインダーの間引き後の吐出量決定処理が開始される（ステップＳ７０４）。
【０１５１】
ここで、図８には、このステップＳ７０４の処理によるバインダーの間引き後の吐出量決定処理の詳細な処理内容が示されており、このバインダーの間引き後の吐出量決定処理では、まず、三次元造形物を作製する際に必要となるバインダーの総量を算出する（ステップＳ８０２）。
【０１５２】
即ち、このステップＳ８０２の処理では、間引き部８４により、初期設定に設定された吐出量から、第１層から最終層までの各断面形状を形成するために必要となるバインダーの総量、つまり、バインダーの内層の総量、バインダーの中間層の総量およびバインダーの表層の総量が算出されることとなる。
【０１５３】
なお、このとき、初期設定として設定されているバインダーの吐出量は、例えば、内層３０％、中間層６０％、表層１００％とし、内層の間引き後の吐出量の限界値を、例えば、吐出量１０％、中間層の間引き後の吐出量の限界値を、例えば、吐出量２０％、表層の間引き後の吐出量の限界値を、例えば、吐出量３０％とする。
【０１５４】
以下の説明においては、各層におけるバインダーの吐出量および吐出量の限界値の一例を用いて、バインダーの間引き後の吐出量決定処理について説明する。
【０１５５】
次に、ステップＳ６０２の処理で取得したバインダーの残量から、バインダーの表層の総量およびバインダーの中間層の総量を減算し（ステップＳ８０４）、バインダーの内層の総量に対する算出値の割合が１０％を超えるか否かの判断を行う（ステップＳ８０６）。
【０１５６】
このステップＳ８０６の判断処理において、ステップＳ８０４の処理で算出された算出値の、バインダーの内層の総量に対する割合が、１０％を超えると判断されると、内層の吐出量を１０％とし（ステップＳ８０８）、ステップＳ７０６の処理へ進む。
【０１５７】
即ち、ステップＳ８０８の処理では、内層の吐出量を１０％、中間層および表層の吐出量は初期設定のまま（つまり、中間層６０％、表層１００％である。）とするものである。
【０１５８】
一方、ステップＳ８０６の判断処理において、ステップＳ８０４の処理で算出された算出値の、バインダーの内層の総量に対する割合が、１０％を超えない（つまり、１０％以下である。）と判断されると、ステップＳ６０２の処理で取得したバインダーの残量から、バインダーの表層の総量およびバインダーの内層の吐出量を１０％としたときのバインダーの使用量を減算し（ステップＳ８１０）、バインダーの中間層の総量に対する算出値の割合が３０％を超えるか否かの判断を行う（ステップＳ８１２）。
【０１５９】
このステップＳ８１２の判断処理において、ステップＳ８１０の処理で算出された算出値の、バインダーの中間層の総量に対する割合が、３０％を超えると判断されると、内層の吐出量を１０％、中間層の吐出量を３０％とし（ステップ８１４）、ステップＳ７０６の処理に進む。
【０１６０】
即ち、ステップＳ８１４の処理では、内層の吐出量を１０％、中間層の吐出量を３０％および表層の吐出量を初期設定のまま（つまり、１００％である。）とするものである。
【０１６１】
一方、ステップＳ８１２の判断処理において、ステップＳ８１０の処理で算出された算出値の、バインダーの中間層の総量に対する割合が、３０％を超えない（つまり、３０％以下である。）と判断されると、ステップＳ８１０の処理で算出された算出値の、バインダーの中間層の総量に対する割合が、２０％を超えるか否かの判断を行う（ステップＳ８１６）。
【０１６２】
このステップＳ８１６の判断処理において、ステップＳ８１０の処理で算出された算出値の、バインダーの中間層の総量に対する割合が、２０％を超えると判断されると、内層の吐出量を１０％、中間層の吐出量を２０％とし（ステップＳ８１８）、ステップＳ７０６の処理に進む。
【０１６３】
即ち、ステップＳ８１８の処理では、内層の吐出量を１０％、中間層の吐出量を２０％および表層の吐出量を初期設定のまま（つまり、１００％である。）とするものである。
【０１６４】
一方、ステップＳ８１６の判断処理において、ステップＳ８１０の処理で算出された算出値の、バインダーの中間層の総量に対する割合が、２０％を超えない（つまり２０％以下である。）と判断されると、ステップＳ６０２の処理で取得したバインダーの残量から、バインダーの内層の吐出量を１０％としたときのバインダーの使用量およびバインダーの中間層の吐出量を２０％としたときのバインダーの使用量を減算し（ステップＳ８２０）、バインダーの表層に対する算出値の割合が４０％を超えるか否かの判断を行う（ステップＳ８２２）。
【０１６５】
このステップＳ８２２の判断処理において、ステップＳ８２０の処理で算出された算出値の、バインダーの表層の総量に対する割合が、４０％を超えると判断されると、内層の吐出量を１０％、中間層の吐出量を２０％、表層の吐出量を４０％とし（ステップＳ８２４）、ステップＳ７０６の処理に進む。
【０１６６】
一方、ステップＳ８２２の判断処理において、ステップＳ８２０の処理で算出された算出値の、バインダーの表層の総量に対する割合が、４０％を超えない（つまり、４０％以下である。）と判断されると、ステップＳ８２０の処理で算出された算出値の、バインダーの表層に対する割合が、３０％を超えるか否かの判断を行う（ステップＳ８２６）。
【０１６７】
このステップＳ８２６の判断処理において、ステップＳ８２０の処理で算出された算出値の、バインダーの表層の総量に対する割合が、３０％を超えると判断されると、内層の吐出量を１０％、中間層の吐出量を２０％、表層の吐出量を３０％とし（ステップＳ８２８）、ステップＳ７０６の処理に進む。
【０１６８】
一方、ステップＳ８２６の判断処理において、ステップＳ８２０の処理で算出された算出値の、バインダー表層の総量に対する割合が、３０％を超えない（つまり、３０％以下である。）と判断されると、バインダーが不足するため三次元造形が不可能である旨を表示装置（図示せず。）に表示し（ステップＳ８３０）、このバインダーの間引き後の吐出量決定処理を終了することで、三次元造形処理を終了する。
【０１６９】
次に、インクが不足するか否かの判断を行う（ステップＳ７０６）。
【０１７０】
即ち、このステップＳ７０６の処理では、Ｃ（シアン）のインク、Ｍ（マゼンタ）のインク、Ｙ（イエロー）のインクおよびＫ（ブラック）のインクのうち、層数算出部７８で不足するインクとして特定されたインクがあるか否かの判断を行う。
【０１７１】
そして、このステップＳ７０６の判断処理において、インクが不足しないと判断されると、ステップＳ７０２の処理に戻り、再度、ステップＳ７０２以降の処理を行う。
【０１７２】
なお、ステップＳ７０２の処理に戻る際の回数をカウントするようにし、ステップＳ７０２の処理に戻る回数が所定の回数に達すると、ステップＳ６０４の処理に戻り、再度、形成可能な層数の算出を行うようにしてもよい。
【０１７３】
また、ステップＳ７０６の判断処理において、インクが不足すると判断されると、Ｃ（シアン）のインク、Ｍ（マゼンタ）のインク、Ｙ（イエロー）のインクおよびＫ（ブラック）のインクのうちの不足すると判断されたインクそれぞれに対して、インクの間引き後の吐出量決定処理が開始される（ステップＳ７０８）。
【０１７４】
ここで、図９には、このステップＳ７０８の処理によるインクの間引き後の吐出量決定処理の詳細な処理内容が示されており、このインクの間引き後の吐出量決定処理では、まず、不足すると判断された所定のインクに対して、三次元造形物を作製する際に必要となる総量を算出する（ステップＳ９０２）。
【０１７５】
即ち、このステップＳ９０２の処理では、間引き部８４により、初期設定に設定された所定のインクの吐出量から、第１層から最終層までの各断面形状を形成するために必要となる所定のインクの総量が算出されることとなる。
【０１７６】
なお、このとき、初期設定として設定されている所定のインクの吐出量は２０％とし、間引き後のインクの吐出量の限界値を吐出量５％とする。
【０１７７】
次に、ステップＳ６０２の処理で取得した所定のインクの残量と、ステップＳ９０２の処理で算出した所定のインクの総量とを比較し、ステップＳ９０２の処理で算出した所定のインクの総量に対するステップＳ６０２の処理で取得した所定のインクの残量の割合が１５％を超えるか否かの判断を行う（ステップＳ９０４）。
【０１７８】
このステップＳ９０４の判断処理において、所定のインクの総量に対する所定のインクの残量の割合が１５％を超えると判断されると、所定のインクの吐出量を１５％とし（ステップＳ９０６）、ステップＳ６１６の処理に進む。
【０１７９】
また、ステップＳ９０４の判断処理において、所定のインクの総量に対する所定のインクの残量の割合が１５％を超えない（つまり１５％以下である。）と判断されると、ステップＳ９０２の処理で算出した所定のインクの総量に対するステップＳ６０２の処理で取得した所定のインクの残量の割合が１０％を超えるか否かの判断を行う（ステップＳ９０８）。
【０１８０】
このステップＳ９０８の判断処理において、所定のインクの総量に対する所定のインクの残量の割合が１０％を超えると判断されると、所定のインクの吐出量を１０％とし（ステップＳ９１０）、ステップＳ６１６の処理に進む。
【０１８１】
また、ステップＳ９０８の判断処理において、所定のインクの総量に対する所定のインクの残量の割合が１０％を超えない（つまり、１０％以下である。）と判断されると、ステップＳ９０２の処理で算出した所定のインクの総量に対するステップＳ６０２の処理で取得した所定のインクの残量の割合が５％を超えるか否かの判断を行う（ステップＳ９１２）。
【０１８２】
このステップＳ９１２の判断処理において、所定のインクの総量に対する所定のインクの残量の割合が５％を超えると判断されると、所定のインクの吐出量を５％とし（ステップＳ９１４）、ステップＳ６１８の処理に進む。
【０１８３】
また、ステップＳ９１２の判断処理において、所定のインクの総量に対する所定のインクの残量の割合が５％を超えない（つまり、５％以下である。）と判断されると、所定のインクが不足するため三次元造形が不可能である旨を表示装置（図示せず。）に表示し（ステップＳ９１６）、このインクの間引き後の吐出量決定処理を終了することで、三次元造形処理を終了する。
【０１８４】
ステップＳ６１２の判断処理において、不足するバインダーおよびインクを間引いて三次元造形物を作製することが選択されなかった（つまり、表示装置（図示せず。）に表示された選択画面において、三次元造形物を縮小して作製することが選択された場合である。）と判断されると、層数算出部７８において特定された不足するバインダーおよびインクについて、三次元造形物を作製する際に必要となるバインダーおよびインクの総量を算出する（ステップＳ６２０）。
【０１８５】
即ち、このステップＳ６２０の処理では、縮小部８６により、三次元造形物を作製する際に不足するとされたバインダーおよびインクのそれぞれに対して、初期設定に設定された吐出量で、第１層から最終層までの各断面形状を形成するために必要となるバインダーあるいはインクの総量を算出することとなる。
【０１８６】
その後、ステップＳ６２０の処理で算出したバインダーおよびインクの総量と、ステップＳ６０２の処理で取得したバインダーおよびインクの残量とから、不足するとされたバインダーおよびインクの不足量を算出し（ステップＳ６２２）、不足量が最も大きいバインダーあるいはインクを決定する（ステップＳ６２４）。
【０１８７】
そして、決定したバインダーまたはインクの残量により、最も大きいサイズで三次元造形物を作製することができる縮小率を決定する（ステップＳ６２６）。
【０１８８】
こうして決定された縮小率で、記憶部７０に記憶された三次元造形物の三次元データを縮小し（ステップＳ６２８）、縮小した三次元データの断面形状データを作成する（ステップＳ６３０）。
【０１８９】
即ち、ステップＳ６３０の処理では、作成部７１により、ステップＳ６２８の処理で縮小した三次元データを、水平方向に所定の間隔で切断した断面を表す断面形状データを作成し、作成した断面形状データを縮小断面形状データとして記憶部７０に出力する。なお、こうして作成された縮小断面形状データは、基本断面形状データと比較して、断面形状データの数（つまり、断面形状の数）が少なくなるとともに、形成される断面形状の体積が小さくなる。
【０１９０】
その後、ステップＳ６３０の処理で作成した縮小断面形状データに基づいて、三次元造形を行い（ステップＳ６３２）、最終層の断面形状を形成した後に、この三次元造形処理を終了する。なお、三次元造形する際のバインダーおよびインクの吐出量としては、初期設定で設定された吐出量となる。
【０１９１】
即ち、このステップＳ６３２の処理では、三次元造形物１０により、バインダーおよびインクを初期設定で設定された吐出量とし、ステップＳ６３０の処理で作成した縮小断面形状データに基づいて、三次元造形物を作製することとなる。
【０１９２】
なお、具体的な処理としては、ステップＳ６３０の処理で作成した縮小断面形状データに基づいて、断面形状を形成する点についてのみ、上記したステップＳ６０８の処理と異なる。
【０１９３】
つまり、ステップＳ６３２の処理では、造形槽１６に形成した粉末層に、ステップＳ６３０の処理で作成した縮小断面形状データに基づく位置に、初期設定で設定された吐出量で、吐出ヘッド２４からバインダーおよびインクを吐出して断面形状を形成する処理を繰り返し行って、縮小断面形状データに基づく三次元造形物を作製することとなる。
【０１９４】
具体的には、図１１（ａ）に示す状態とした後に、マイクロコンピューター２８における制御部７２の制御により、造形槽１６に形成された粉末層に対して、ステップＳ６３０の処理で作成された所定の縮小断面形状データに基づく位置に、初期設定で設定された吐出量で、吐出ヘッド２４からバインダーおよび各インクを吐出して、当該粉末層に当該所定の縮小断面形状データに基づく断面形状を形成することとなる。
【０１９５】
さらに、図１２（ｂ）に示す状態とした後に、新たに形成された粉末層に、上記所定の縮小断面形状データの次の縮小断面形状データに基づく位置に、初期設定で設定された吐出量で、吐出ヘッド２４からバインダーおよび各インクを吐出して、新たに形成された粉末層に当該縮小断面形状データに基づく断面形状を形成することとなる。
【０１９６】
以上において説明したように、本発明による三次元造形装置１０は、粉末材料を硬化するための無色のバインダーと、無色のバインダーに色彩を付すためのインクとが吐出ヘッド２４から吐出するようにした。そして、こうしたインクとして、例えば、インクジェットプリンタなどに使用される汎用の水性顔料インクを用いるようにした。
【０１９７】
また、本発明による三次元造形装置１０は、ユーザーにより三次元造形の開始が指示されると、バインダーおよびインクの貯留されたカートリッジの重量を計測し、カートリッジ内に貯留されたバインダーおよびインクの残量を算出するとともに、この算出結果、基本断面形状データおよび初期設定で設定された吐出量から、基本断面形状データに基づく断面形状を何層形成することが可能であるのかを算出し、算出した断面形状の層数から三次元造形物の作製が可能か不可能かの判断を行うようにした。
【０１９８】
三次元造形が不可能との判断がなされると、不足するバインダーおよびインクを間引いて三次元造形物を作製するか、あるいは、不足するバインダーおよびインクに応じて三次元造形物を縮小して作製するかの選択画面を表示するようにした。
【０１９９】
この選択画面において、不足するバインダーおよびインクを間引いて三次元造形物を作製することが選択されると、不足するバインダーおよびインクを特定し、不足するバインダーおよびインクについて初期設定で設定された吐出量を間引いて、間引き後の吐出量を決定するようにした。
【０２００】
そして、三次元造形の際には、不足するバインダーおよびインクについては、決定した間引き後の吐出量で吐出ヘッド２４から吐出され、他のバインダーおよびインク（つまり、不足するバインダーおよびインクであると特定されなかったバインダーおよびインクである。）については、初期設定で設定された吐出量で吐出ヘッド２４から吐出するようにした。なお、このときには、基本断面形状データに基づいて三次元造形が行われる。
【０２０１】
また、選択画面において、不足するバインダーおよびインクに応じて三次元造形物を縮小して作製することが選択されると、不足するバインダーおよびインクを特定し、不足量の最も大きいバインダーあるいはインクの残量に基づいて、三次元造形物の縮小率を決定し、この決定した縮小率に基づいて三次元造形物の三次元データを縮小し、縮小した三次元データから縮小断面形状データを作成するようにした。
【０２０２】
そして、三次元造形の際には、この縮小断面形状データに基づいて、三次元造形を行うようにした。なお、このときには、バインダーおよびインクは、初期設定で設定された吐出量となる。
【０２０３】
このため、本発明による三次元造形装置１０においては、カートリッジ内に貯留されたバインダーやインクの残量が不足した場合であっても、例えば、強度を無視してでも三次元造形を行いたいなどの、ユーザーの意思を反映した三次元造形を行うことができる。
【０２０４】
また、本発明による三次元造形装置１０は、カートリッジ収容部２２において、重量センサ５２（５８）を設け、カートリッジ収容部２２で各カートリッジ内に貯留されたバインダーおよびインクの残量を計測するとともに、カートリッジ収容部２２からチューブを介して吐出ヘッド２４に各カートリッジからのバインダーおよびインクを供給するようにした。
【０２０５】
これにより、本発明による三次元造形装置１０は、サブタンクを介してバインダーをヘッドに供給するような従来の技術による三次元造形装置より、装置を小型化することができる。
【０２０６】
なお、上記した実施の形態は、以下の（１）乃至（９）に示すように変形するようにしてもよい。
【０２０７】
（１）上記した実施の形態においては、画面表示部８２は、「間引きして三次元造形物を作製する」という選択肢と、「三次元造形物を縮小して作製する」という選択肢とを選択可能な選択画面を表示するようにしたが、これに限られるものではないことは勿論である。
【０２０８】
即ち、画面表示部８２は、上記した選択肢のほかに、例えば、「三次元造形を中止する」などの選択肢を選択画面に表示するようにしてもよい。
【０２０９】
（２）上記した実施の形態においては、インクの間引き後の吐出量決定処理で、インクの吐出量の限界値に達すると、三次元造形ができない旨を表示するようにしたが、これに限られるものではないことは勿論である。
【０２１０】
即ち、インクの吐出量の限界値に達すると、不足する所定のインクを使用しないで表現可能な別の色彩で表現して三次元造形を行う、全てのインクを使用することなく三次元造形を行う、あるいは、不足する所定のインク以外のインクを用いて単色で三次元造形を行うなどの種々の表現方法による三次元造形を選択可能な選択画面を表示するようにして、この選択画面で選択された方法によって、三次元造形を行うようにしてもよい。
【０２１１】
（３）上記した実施の形態においては、ローラ２６と吐出ヘッド２４とが共に移動部材２０に配設されるようにしたが、これに限られるものではないことは勿論であり、ローラ２６と吐出ヘッド２４とを異なる移動部材に配設するようにし、ローラ２６と吐出ヘッド２４とが互いに別々にＹ軸方向に移動するようにしてもよい。
【０２１２】
（４）上記した実施の形態においては、図３（ｂ）に示すように、回動部５０と支持部材５４を用い、重量センサ５２によりバインダーやインクの貯留されたカートリッジの重量を計測するようにしたり、図３（ｃ）に示すように、収容ステージ５６を用いて重量センサ５８によりバインダーやインクの貯留されたカートリッジの重量を計測するようにしたが、これに限られるものではないことは勿論である。
【０２１３】
即ち、カートリッジ収容部２２において、重量センサによりバインダーやカートリッジの貯留されたカートリッジの重量を計測することができる構成であれば、どのように当該カートリッジを計測するようにしてもよい。
【０２１４】
（５）上記した実施の形態においては、層数算出部７８で、断面形状データおよび初期設定で設定された吐出量で三次元造形物を作成することが可能な層数を算出するようにしたが、これに限られるものではないことは勿論であり、取得部７６で取得したバインダーおよびインクの残量と、三次元データの体積あるいは基本断面形状データの合計体積とを比較して、判断部８０により、基本断面形状データに基づいて、初期設定で設定された吐出量で三次元造形物を作成することが可能な否かの判断を行うようにしてもよい。
【０２１５】
（６）上記した実施の形態においては、バインダーの吐出量を間引く際には、内層、中間層、表層に優先順位を設けるようにしたが、これに限られるものではないことは勿論であり、内層、中間層および表層において、一律に所定量の吐出量を間引くようにしてもよい。
【０２１６】
（７）上記した実施の形態においては、無色のバインダーと４色の水性顔料インクを吐出ヘッド２４から吐出するようにしたが、これに限られるものではないことは勿論であり、４色の水性顔料インクに換えて、４色に色づけされたバインダー（有色バインダー）を吐出ヘッドから吐出するようにしてもよい。
【０２１７】
（８）上記した実施の形態においては、貯留槽１４に貯留された粉末材料が昇降板２１により押し上げられ、押し上げられた粉末材料をローラ２６により押し出して造形槽１６に供給するようにしたが、これに限られるものではないことは勿論であり、貯留槽１４やローラ２６を設けることなく、造形槽１６に直接粉末材料を供給するような構成を設けるようにしてよい。
【０２１８】
なお、この場合には、造形槽１６に供給された粉末材料の表面を平坦にするローラなどの機構も設ける必要がある。
【０２１９】
（９）上記した実施の形態ならびに上記した（１）乃至（８）に示す変形例は、適宜に組み合わせるようにしてもよい。
【産業上の利用可能性】
【０２２０】
本発明は、粉末固着積層方式の三次元造形装置として用いて好適である。
【符号の説明】
【０２２１】
１０  三次元造形装置、１４  貯留槽、１６  造形槽、１８  収容槽、２０  移動部材、２１、３０  昇降板、２２  カートリッジ収容部、２４  吐出ヘッド、２６  ローラ、２８  マイクロコンピューター、５２、５８  重量センサ、７０  記憶部、７２  制御部、７４  設定変更部、７６  取得部、７８  層数算出部、８０  判断部、８２  画面表示部、８４  間引き部、８６縮小部
【図１】
0006502153.tif 000002
【図２】
0006502153.tif 000003
【図３】
0006502153.tif 000004
【図４】
0006502153.tif 000005
【図５】
0006502153.tif 000006
【図６】
0006502153.tif 000007
【図７】
0006502153.tif 000008
【図８】
0006502153.tif 000009
【図９】
0006502153.tif 000010
【図１０】
0006502153.tif 000011
【図１１】
0006502153.tif 000012
【図１２】
0006502153.tif 000013
【図１３】
0006502153.tif 000014